(57)【特許請求の範囲】
【請求項１】
四角形の一つの角の近傍に宝石類が連結具によって連結されたハンカチを内外に複数回折り畳み、宝石類が一方の辺に位置し、上向きの４つの三角形と下向きの３つの三角形が交互に表れる左右に細長い台形状折り畳みハンカチ（９）とし、
該台形状折り畳みハンカチ（９）を宝石類と反対側の右辺を、右辺から全体の３／８の位置で内側に折り返し、宝石類が位置する左辺を左辺から全体の２／８の位置で内側に折り返して宝石類が矩形のほぼ中央に表れた矩形の折り畳みハンカチ（１１）とし、
該矩形の折り畳みハンカチ（１１）を中央部分で内側に折り畳んでなる宝石類の台座。
【請求項２】
四角形の一つの角の近傍に宝石類が連結具によって連結されたハンカチを内外に複数回折り畳み、宝石類が一方の辺に位置し、上向きの４つの三角形と下向きの３つの三角形が交互に表れる左右に細長い台形状折り畳みハンカチ（９）とし、
該台形状折り畳みハンカチ（９）を宝石類と反対側の右辺を、右辺から全体の３／８の位置で内側に折り返し、宝石類が位置する左辺を左辺から全体の２／８の位置で内側に折り返して宝石類が矩形のほぼ中央に表れた矩形の折り畳みハンカチ（１１）とし、
該矩形の折り畳みハンカチ（１１）を中央部分で内側に折り畳んで、宝石箱に収納してなる宝石類の台座。
【請求項３】
前記連結具に、連結具の一部として宝石類又は宝石類の模様を付けたことを特徴とする請求項１又は２記載の宝石類の台座。
【請求項４】
請求項１、２又は３記載の宝石類の台座を収納してなる宝石箱。
【発明の詳細な説明】
【技術分野】
【０００１】
本発明はハンカチ、特に、宝石箱に収納されるという意外性に富んだ宝石類の台座用ハンカチ及び該ハンカチを収納した宝石箱に関する。
【背景技術】
【０００２】
従来、贈答用品等のハンカチやタオル地は、折り畳み方や配列の仕方を工夫して収納箱に入れ、表面は透明フィルムで用いて内容物を透視できるようにし、需要者の購買意欲を高める工夫がされていた。特にタオル地については、タオル地の風合い、厚み及び柔軟さなどの特性に着目し、タオル地を縫着したり、ピンで留めるなどして、動物のぬいぐるみや人形体に形成し、専ら観賞用に供されるものが古くから存在していたし、最近では、タオルよるケーキ形状の飾り物（例えば、特許文献１〜４参照）、タオル製飲料用液体形態の装飾品（例えば、特許文献５参照）、及び冠婚葬祭用のタオル製飾り花（例えば、特許文献６参照）が知られている。
【０００３】
一方、商品のあふれるような現代社会において、新規で、意外性に富む商品が出現することへのニーズは常に存在することから、ハンカチを用いるギフトやプレゼント用商品に対しても、意外性に富んで、人目をひき、需要者の購買意欲を高めるような新たな形態や存在態様が求められている。
【特許文献１】実開平３−３９４８８号公報
【特許文献２】実開平３−２２７９５号公報
【特許文献３】実開平３−２２７９６号公報
【特許文献４】登録実用新案第３１０９８１２号公報
【特許文献５】登録実用新案第３１１４７２０号公報
【特許文献６】実開平４−８３０７３号公報
【発明の開示】
【発明が解決しようとする課題】
【０００４】
そこで、本発明は、従来にない新規な形態のハンカチであって、かつその存在態様に意外性及び／又は豪華性があり、人目を引くという、ギフトやプレンゼント等にぴったりのハンカチ及びそれを収納した収納箱を提供することを目的とする。
【課題を解決するための手段】
【０００５】
上記目的を達成するために鋭意研究した結果、宝石類とハンカチを連結紐等で結び折り畳むと、宝石類がその上に据え置かれた状態でハンカチが台座になって宝石箱に収納できること及び宝石類を取り出すとハンカチが出現する意外性等が人目をひくことを見出し、本発明を完成させた。
【０００６】
すなわち、本発明のうち第１の発明は、宝石類と連結具で連結され、かつ宝石の台座用として折り畳まれていることを特徴とする宝石類台座用ハンカチであり、本発明のうち第２の発明は、宝石類と連結具で連結され、かつ宝石類の台座として折り畳まれ、宝石箱に収納されていることを特徴とする宝石類台座用ハンカチである。
【０００７】
本発明において宝石類とは、本物の宝石及びその模造品や模倣品を含む意味である。例えば、本物の宝石又は宝石のように見えてアクセサリー材となる石、ガラス、クリスタルガラス、金属、プラスチック等が含まれる。但し、ギフトやプレンゼント等にぴったりのハンカチに連結する宝石類としては、宝石のように見えてアクセサリー材となる石、ガラス、クリスタルガラス、金属、プラスチック等を用いるのが好ましい。見掛け上、ハンカチに意外性、豪華性が付与されていれば本発明の目的に適うからである。なお、宝石類として用いる形態や態様は問わない。例えば、宝石類は、指輪、ピアス、ブレスレット、ネックレス等として直接用いてもよく、宝石類を備えた指輪、ブローチ、ピンズ等として用いてもよい。また、この宝石類連結ハンカチは、宝石類の台座用として折り畳まれていればよく、折り畳み方法や折り畳んだ形状を問わないし、ハンカチの材料も問わない。ハンカチの材料としては、例えば、タオル織物を含む各種組織の織物の他、不織布、編物等が例示される。
【０００８】
宝石類とハンカチを連結する連結具は、双方を連結できるものであればよいが、紐、テープ、リング、それらの組み合わせ等が例示され、その材質としては、布製、不織布製、金属製、プラスチック製のもの等が例示される。連結具の長さ、大きさ、ハンカチにおける連結具の位置、ハンカチの折り畳み方も、宝石類が台座としてのハンカチの上に据え置かれている状態になる連結具の長さ、大きさ、連結具の位置、ハンカチの折り畳み方であれば、特に限定されない。また、連結具は、宝石類及び／又はハンカチに対し、着脱自在にすることもできる。
【０００９】
本発明のうち第３の発明は、前記連結具に、該連結具の一部として宝石類又は宝石類の模様を付けたことを特徴とする第１発明又は第２発明記載の宝石類台座用ハンカチである。
【００１０】
連結具に付けられる宝石類や宝石類の模様は、連結具をデザイン化し、ハンカチを豪華に見せる役割を果たす。また、連結具の一部として連結具に付けられる宝石類や宝石類の模様と、連結具によってハンカチに連結される宝石類とを、同種の物にすれば双方を関連付けることもできる。このような関連付けには、例えば、連結紐の一部として該連結紐に特定形状のクリスタルガラスを付け、該連結紐を用いて、同形状のクリスタルガラスを連結したハンカチの如き場合が相当する。
【００１１】
本発明のうち第４の発明は、第１発明、第２発明又は第３発明記載の宝石類台座用ハンカチを、宝石類の台座として収納してなる宝石箱である。
【００１２】
この場合、宝石箱は、第１発明、第２発明又は第３発明記載の宝石類台座用ハンカチを収納する箱であればよく、その形状を問わない。また、宝石類は台座としてのハンカチに据え置かれた状態で収納されていればよく、宝石箱は、蓋の有無は問わず、またこの宝石箱を展示等する場合は、蓋の開閉の状態は問わない。すなわち、蓋は全開〜半開き〜閉じた状態であってもよい。
【発明の効果】
【００１３】
第１又は第２の発明のハンカチによれば、これを宝石箱に収納すると（又は収納した状態では）、台座としてのハンカチの上にハンカチに連結された宝石類が置かれ、宝石類を取り出すとハンカチが宝石箱から出現する意外性があり、看者の注目を引く。この場合、宝石類の選択は任意であることから、宝石類を例えば１２の誕生石とすれば、これらのハンカチは、誕生祝い用の贈答品として好適となる。また、収納状態の宝石類は、台座としてハンカチを用いているので、ハンカチの風合いや模様が反映され、宝石類をより豪華に見せることもできる。また、取り出された宝石類連結ハンカチはそのままハンカチとして使用でき、また該ハンカチから宝石類を切り離すと、それぞれ、宝石類が連結されていない通常のハンカチ、宝石類として使用することができる。
【００１４】
第３の発明のハンカチによれば、第１、第２発明の効果として記載した前記効果に加えて、連結具をデザイン化でき、連結具は、単なる連結具でなく、ハンカチを豪華に見せる役割をも果たす。また、連結具の一部として連結具に付けられる宝石類や宝石類の模様と、連結具によってハンカチに連結される宝石類とを、同種の物にして双方を関連付けるにより、連結具と宝石類とを一体化して取り扱うことができるばかりか、ニ者を一体化した美しさや豪華さを醸し出すことができる。連結具によるこれらの視覚効果は、ハンカチが台座用として折り畳まれた状態及び台座として宝石箱に収納された状態でも連結具を見える状態にすれば現わるし、特に、ハンカチを展開して使用する場合に明確に現われる。
【００１５】
第４の発明の宝石箱によれば、収納したハンカチが奏する前記効果に加えて、宝石箱の開閉状態及びハンカチの収納状態によって、宝石類、台座としてのハンカチ、それらの連結具の1つ又は複数を、それぞれ、看者の注目を引くように強調して展示することができる。
【実施例】
【００１６】
以下、本発明を、実施例を用いてより具体的に説明するが、本発明はこれらの実施例に限定されるものではない。
【００１７】
（実施例１）
図１は、本発明に係る宝石類台座用ハンカチ及び宝石箱の一例であり、宝石箱（ｄ）に、後記の指輪（ｃ）が連結されると共に台座として折り畳まれた本発明に係るタオル製ハンカチ（ａ）が収納され、その上にクリスタルガラス製ラインストーン（ｂ１）（スワロフスキー社製、以下同じ。）を備えた指輪（ｃ）が配置されている状態を示す。また、図２は、タオル製ハンカチの一角の近傍に、布製紐と金属製リングから成る連結具（ｅ）を介してクリスタルガラス製ラインストーン（ｂ１）を備えた指輪（ｃ）（この場合、指輪（ｃ）は本願発明の宝石類と考えてもよいし、クリスタルガラス製ラインストーン（宝石類）を連結するための連結具と考えてもよい。）を連結したハンカチ１を示す。この場合、連結紐（ポリエステル100％のサテン地）には小さいクリスタルガラス製ラインストーン（ｂ２）（スワロフスキー社製、以下同じ。）がスワロフスキー溶着機（DAIRO MACHIIN CO 製Vacuumu Ultrasonic Hot-Fix Setting Machine）によって熱圧着されている。
【００１８】
クリスタルガラス製ラインストーン（ｂ１）を備えた指輪（ｃ）が中央に位置するように折り畳まれて収納された図１のハンカチ製の台座（ａ）は、図２に示す指輪連結ハンカチ１（２５ｃｍ×２５ｃｍ）を、図３の矢印で示すような工程順に折り畳んで、指輪が中央に挟まれた図３の台座用ハンカチ（ａ）を得、これを図１の宝石箱（ｄ）に収納して得ることができる。
【００１９】
図３の折り畳み工程についてさらに詳しく説明すると、ハンカチ１を裏返すと共に、ハンカチの４角が上下左右になるハンカチ２の状態とし、これを、指輪が折り畳み込まれないような位置のハンカチ２の折り畳み線（一点鎖線の部分、以下同じ。）で内側に折り返して、折り畳みハンカチ３とし、続いてこれをハンカチ３の折り畳み線で外側に折り返して折り畳みハンカチ４とし、さらに、これをハンカチ４の折り畳み線で内側に折り返して折り畳みハンカチ５として、ハンカチ２の上半面の折り畳みを完了する。続いてハンカチ５におけるハンカチ２の下半面に属する部分を、ハンカチ５の折り畳み線で内側に折り返して折り畳みハンカチ６とし、同様に矢印で示す工程順にハンカチをそれぞれ６〜９へと折り返して、左右に細長く、左の端縁に指輪の連結された台形状の折り畳みハンカチ９（指輪は折り畳み込まれない。）を得る。
【００２０】
この左右に細長い台形状折り畳みハンカチ９を、該ハンカチの折り畳み線で内側に折り返して、折り畳みハンカチ１０とし、これをハンカチ１０の折り畳み線で内側に折り返して矩形の折り畳みハンカチ１１とすると、矩形の外部にはハンカチ１の表側が表出し、クリスタルガラス製ラインストーン（ｂ１）を備えた指輪（ｃ）を連結すると共にクリスタルガラス製ラインストーン（ｂ２）を装着（熱圧着）した連結紐が矩形のほぼ中央に表れる。この矩形の折り畳みハンカチ１１を中央部の折り畳み線で折り畳みと、指輪が中央に挟まれた本発明に係る台座用ハンカチ（ａ）となると共に、これを宝石箱に収納すると、図１の本発明に係る宝石類台座用ハンカチ及び宝石箱を得ることができる。
【００２１】
図１に示す実施例１のハンカチによれば、台座としてのハンカチの上にハンカチに連結された宝石類（クリスタルガラス製ラインストーン（ｂ１）を備えた指輪（ｃ））が置かれ、指輪（ｃ）を取り出すとハンカチが宝石箱から出現する意外性があり、看者の注目を引く。
【００２２】
また、連結紐と連結リングからなる連結具（ｅ）の連結紐の部分にはブランド名等を表す文字の一部としてクリスタルガラス製ラインストーン（ｂ２）が装着され、リングも銀色であるため、連結具は、単なる連結具でなく、ハンカチを豪華に見せる役割をも果たす。さらに、連結紐のクリスタルガラス製ラインストーンと指輪のクリスタルガラス製ラインストーンは同種であって関連付けているので、連結具と宝石類とを一体化して取り扱うことができるばかりか、ニ者を一体化した美しさや豪華さを醸し出すことができる。
【００２３】
図１に示す実施例１では、連結具はハンカチに見えない状態に挟み込まれて収納されているので、連結具による前記視覚効果は現われていないが（この連結具は見える状態で挟み込むこともできる）、ハンカチを宝石箱から取り出し展開して使用する場合には、図２に示すように、この効果が明確に現われる。また、該宝石類連結ハンカチから宝石類（クリスタルガラス製ラインストーン）を切り離すと、それぞれ、通常のハンカチ、宝石類（クリスタルガラス製ラインストーン）として使用することができる。
【００２４】
また、実施例１の宝石箱によれば、収納したハンカチが奏する前記効果に加えて、宝石箱の開閉状態及びハンカチの収納状態によって、宝石類（クリスタルガラス製ラインストーン）、台座としてのハンカチ、それらの連結具のうち、台座としてのハンカチのみ、該ハンカチと宝石、又は該ハンカチとクリスタルガラス製ラインストーンと連結具を、それぞれ、看者の注目を引くように強調して展示することができる。
【図面の簡単な説明】
【００２５】
【図１】は、本発明に係る宝石類台座用ハンカチ及び宝石箱の一例であり、宝石箱（ｄ）に、台座として折り畳まれた指輪連結タオル製ハンカチが収納され、その上にクリスタルガラス製ラインストーン付き指輪が配置されている状態を示す斜視図である。
【図２】は、タオル製ハンカチの一角の近傍に、布製紐（文字の一部としてクリスタルガラス製ラインストーンを装着）と金属製リングから成る連結具を介してクリスタルガラス製ラインストーン付き指輪を連結したハンカチの平面図を示す。
【図３】は、本発明に係る宝石類台座用ハンカチの製造工程を示す図である。ここで、実線は見える部分の形状を、点線は見えない部分の形状を、一点鎖線は折り畳み線を示し、それぞれの線が重複する場合は、一点鎖線、実線、点線の順に優先して表示している。
【符号の説明】
【００２６】
ａ      宝石類が連結されていると共に台座として折り畳まれたタオル製ハンカチ
ｂ１    クリスタルガラス製ラインストーン
ｂ２    クリスタルガラス製ラインストーン
ｃ      指輪
ｄ      宝石箱
ｅ      連結具
１      折り畳まれていない宝石類連結ハンカチ
【図１】
0004361947.tif 000002
【図２】
0004361947.tif 000003
【図３】
0004361947.tif 000004